(57)【要約】【課題】特殊な構造部材を有する保護フィルムセットを用いることなく、容易にかつ確実に保護フィルムを貼り付けることを課題とする。【解決手段】保護フィルムセット（１０）を仮置きする上部アタッチメント（２０）と、電子機器（Ｄ）を収納する下部アタッチメント（３０）とを備え、上部アタッチメント（２０）は、保護フィルムセット（１０）を仮置きする仮置き部（２２）と、剥離した保護フィルム（１２）を押圧する押圧部（２１）とを備え、仮置き部（２２）は、保護フィルムセット（１０）を載置する載置面（Ａ）と、屈曲させることにより保護フィルム（１２）から剥離したベースフィルム（１１）の先端部を仮止めする仮止め面（Ｂ）と、を備え、押圧部（２１）は、保護フィルムセット（１０）の先端部を屈曲させることによりベースフィルム（１１）から剥離した保護フィルム（１２）の一部を押圧可能に構成されている。【選択図】図１
2015011079.tif 000002
【特許請求の範囲】
【請求項１】
保護フィルムおよびベースフィルムを有する保護フィルムセットを仮置きする上部アタッチメントと、
前記保護フィルムを貼り付ける電子機器を収納する下部アタッチメントと、を備え、
前記上部アタッチメントは、
前記保護フィルムセットを仮置きする仮置き部と、剥離した前記保護フィルムを押圧する押圧部と、を備え、
前記仮置き部は、
前記保護フィルムセットを載置する載置面と、
載置された前記保護フィルムセットの先端部を屈曲させることにより前記保護フィルムから剥離した前記ベースフィルムの先端部を仮止めする仮止め面と、を備え、
前記押圧部は、
前記保護フィルムセットの先端部を屈曲させることにより前記ベースフィルムから剥離した前記保護フィルムの一部を押圧可能に構成されている、
フィルム貼付装置。
【請求項２】
前記上部アタッチメントの前記仮止め面に、前記ベースフィルムの先端部に係止する仮止め構造を備える、
請求項１に記載のフィルム貼付装置。
【請求項３】
前記上部アタッチメントの前記載置面と前記仮止め面とは、前記載置面に前記保護フィルムセットを載置して前記ベースフィルムの先端部を屈曲させて前記仮止め面に仮止めさせた場合に、前記ベースフィルムから剥離した前記保護フィルムの先端部が前記押圧部により押圧可能な位置に保持されるような角度に設定されている、
請求項１または２に記載のフィルム貼付装置。
【請求項４】
前記保護フィルムの貼り付け開始時において、電子機器の貼り付け開始位置に相当する位置で前記押圧部が前記保護フィルムの先端部を押圧可能に構成されている、
請求項１乃至３のいずれか１項に記載のフィルム貼付装置。
【請求項５】
前記保護フィルムの貼り付け開始後に前記上部アタッチメントを前記下部アタッチメントに対して相対的に移動させた場合において、前記押圧部が前記保護フィルムの押圧する位置を移動させるに連れて前記保護フィルムと前記ベースフィルムとの剥離が進行するように構成されている、
請求項１乃至４のいずれか１項に記載のフィルム貼付装置。
【請求項６】
前記保護フィルムと前記ベースフィルムとの剥離が進行し、剥離した前記ベースフィルムが押し出される場合に、前記ベースフィルムの先端部の前記仮止め面への仮止めが解除されるように構成されている、
請求項５に記載のフィルム貼付装置。
【請求項７】
前記上部アタッチメントは、前記下部アタッチメントに摺動可能に係止する係止部材を備え、
前記下部アタッチメントは、前記上部アタッチメントの前記係止部材を摺動可能に誘導するガイド部材を備える、
請求項１乃至６のいずれか１項に記載のフィルム貼付装置。
【請求項８】
前記上部アタッチメントの前記系止部材は、前記下部アタッチメントのガイド部材に回動可能にかつ摺動可能に係止する、
請求項７に記載のフィルム貼付装置。
【請求項９】
前記上部アタッチメントの前記押圧部は、回転可能に構成されている、
請求項１乃至８のいずれか１項に記載のフィルム貼付装置。
【請求項１０】
前記下部アタッチメントは、電子機器を収容する収容部を有し、前記電子機器の形状に応じて前記電子機器を位置決めするアダプター部を前記収容部に着脱自在に備える、
請求項１乃至９のいずれか１項に記載のフィルム貼付装置。
【請求項１１】
前記下部アタッチメントは、電子機器の収容面に複数の孔を有し、前記電子機器の形状に応じて前記電子機器を位置決めする位置決め部材を前記複数の孔に着脱自在に備える、
請求項１乃至１０のいずれか１項に記載のフィルム貼付装置。
【請求項１２】
前記下部アタッチメントは、電子機器を収容面に、前記電子機器の形状に応じて前記電子機器を位置決めする位置決め部材を摺動自在に備える、
請求項１乃至１０のいずれか１項に記載のフィルム貼付装置。
【請求項１３】
前記下部アタッチメントは、電子機器の形状に応じて前記電子機器を位置決めする位置決めシートを視認可能に保持する、
請求項１１または１２に記載のフィルム貼付装置。
【発明の詳細な説明】
【技術分野】
【０００１】
本発明は、電子機器の保護フィルムを好適に貼り付けるためのフィルム貼付装置に関する。
【背景技術】
【０００２】
メディアプレーヤやスマートフォン、タブレット端末等の電子機器の表示面を損傷から防いだり強い反射を抑制したり他人に見られないようにしたりする目的のために、保護フィルムが市場に供給されている。このような保護フィルムは、樹脂フィルムの片面に接着層が形成されており、電子機器の表示面に貼ることができるようになっている。
【０００３】
従来、気泡や埃を含むことなく、保護フィルムを電子機器の表示面に適切に貼り付けるためのフィルムの貼付装置が幾つか考案されていた。登録実用新案第３１８２２０２号公報（特許文献１）には、２つのスライド溝、第一収容溝、および第二収容溝を備える収容本体と、ローラフレームにローラセットが設けられた、保護フィルムカバーを押し出すためのローラ装置とを備えたフィルムの貼り付け装置が開示されている。保護フィルムカバーとしては、保護フィルムと底膜の他に、固定部材、固定薄膜、および押分部材を備えている。電子機器を第一収容溝に置き、保護フィルムカバーを第二収容溝に係合させて、ローラ装置を押して２つのスライド溝に沿ってスライドを移動させると、ローラ装置が保護フィルムカバーの押分部材を押し当てて底膜と保護フィルムを分離させ、保護フィルムを電子機器の表面に貼り付けられるようになっていた（要約書）。
【０００４】
登録実用新案第３１８０６９０号公報（特許文献２）には、台座とモバイル装置定位台と保護フィルム貼付装置とからなるモバイル装置用保護フィルム貼付装置が開示されている。保護フィルム貼付装置は、保護フィルムおよび離型層の他に、定位部、定位合わせユニット、三角形分離器を備えている。定位部は保護フィルムに取り付けられ、三角形分離器は離型層に取り付けられている。モバイル装置定位台にモバイル装置を収容して、保護フィルム貼付装置の定位部により保護フィルムの位置を固定してから、三角形分離器をモバイル装置の貼り付け面に寄りつけてスライドさせることにより、三角形分離器とともに離型層が保護フィルムから離脱していく。ユーザは保護フィルムを貼り付け面の裏面から押さえながら離型層をさらに剥がしていくことで、モバイル装置に保護フィルムを貼り付けることができるようになっている。
【先行技術文献】
【特許文献】
【０００５】
【特許文献１】登録実用新案第３１８２２０２号公報
【特許文献２】登録実用新案第３１８０６９０号公報
【発明の概要】
【発明が解決しようとする課題】
【０００６】
しかしならが、特許文献１に記載のフィルム貼付装置では、保護フィルムとして、保護フィルムと底膜の他に、固定部材、固定薄膜、および押分部材といった特別な構造部材が必要であった。特許文献２に記載の貼付装置でも、保護フィルムと離型層の他に、定形部、位置合わせユニット、三角分離器といった特別な構造部材が必要であった。つまり、特許文献１や特許文献２に記載のフィルム貼付装置は、いずれも専用の構造部材を備える特殊な保護フィルムセットが必須であった。このため従来のフィルム貼付装置では、保護フィルムに選択の余地がなく、かつ、構造部材に余計なコストがかかっていた。
【０００７】
また特許文献１や特許文献２に記載のフィルム貼付装置は、専用の構造部材により保護フィルムと底膜や離型層を分離するように構成されていたため、専用の構造部材の取扱いが難しく、フィルム貼付装置を初めて使用するユーザにとって必ずしも使い易いものとはいえず、確実にフィルムを貼り付けることが保証されるものではなかった。
【０００８】
そこで本発明は、特殊な構造部材を有する保護フィルムセットを用いることなく、容易にかつ確実に保護フィルムを貼り付けることができるフィルム貼付装置を提供することを目的の１つとする。
【課題を解決するための手段】
【０００９】
本願発明者は、特殊な構造部材を用いることなく保護フィルムを電子機器に貼り付けるための貼付構造を鋭意研究したところ、本発明は以下の手段を備えることにより、上記目的を達成しうることに想到した。
【００１０】
（１）上記課題を解決するために、本発明のフィルム貼付装置は、保護フィルム（１２）およびベースフィルム（１１）を有する保護フィルムセット（１０）を仮置きする上部アタッチメント（２０）と、保護フィルム（１２）を貼り付ける電子機器（Ｄ）を収納する下部アタッチメント（３０）とを備える。上部アタッチメント（２０）は、保護フィルムセット（１０）を仮置きする仮置き部（２２）と、剥離した保護フィルム（１２）を押圧する押圧部（２１）とを備える。仮置き部（２２）は、保護フィルムセット（１０）を載置する載置面（Ａ）と、載置された保護フィルムセット（１０）の先端部を屈曲させることにより保護フィルム（１２）から剥離したベースフィルム（１１）の先端部を仮止めする仮止め面（Ｂ）と、を備える。押圧部（２１）は、保護フィルムセット（１０）の先端部を屈曲させることによりベースフィルム（１１）から剥離した保護フィルム（１２）の一部を押圧可能に構成されている。
【００１１】
本発明は、所望により、以下の構成を備えていてもよい。
（２）上部アタッチメント（２０）の仮止め面（Ｂ）に、ベースフィルム（１１）の先端部に係止する仮止め構造（２６）を備える。
【００１２】
（３）上部アタッチメント（２０）の載置面（Ａ）と仮止め面（Ｂ）とは、載置面（Ａ）に保護フィルムセット（１０）を載置してベースフィルム（１１）の先端部を屈曲させて仮止め面（Ｂ）に仮止めさせた場合に、ベースフィルム（１１）から剥離した保護フィルム（１２）の先端部が押圧部（２１）により押圧可能な位置に保持されるような角度に設定されている。
【００１３】
（４）保護フィルム（１２）の貼り付け開始時において、電子機器（Ｄ）の貼り付け開始位置に相当する位置で押圧部（２１）が保護フィルム（１２）の先端部を押圧可能に構成されている。
【００１４】
（５）保護フィルム（１２）の貼り付け開始後に上部アタッチメント（２０）を下部アタッチメント（３０）に対して相対的に移動させた場合において、押圧部（２１）が保護フィルム（１２）の押圧する位置を移動させるに連れて保護フィルム（１２）とベースフィルム（１１）との剥離が進行するように構成されている。
【００１５】
（６）保護フィルム（１２）とベースフィルム（１１）との剥離が進行し、剥離したベースフィルム（１１）が押し出される場合に、ベースフィルム（１１）の先端部の仮止め面（Ｂ）への仮止めが解除されるように構成されている。
【００１６】
（７）上部アタッチメント（２０）は、下部アタッチメント（３０）に摺動可能に係止する係止部材（２４）を備え、下部アタッチメント（３０）は、上部アタッチメント（２０）の係止部材（２４）を摺動可能に誘導するガイド部材（３３）を備える。
【００１７】
（８）上部アタッチメント（２０）の系止部材（２４）は、下部アタッチメント（３０）のガイド部材（３３）に回動可能にかつ摺動可能に係止する。
【００１８】
（９）上部アタッチメント（２０）の押圧部（２１）は、回転可能に構成されている。
【００１９】
（１０）下部アタッチメント（３０）は、電子機器（Ｄ）を収容する収容部（３２）を有し、電子機器（Ｄ）の形状に応じて電子機器（Ｄ）を位置決めするアダプター部（３０ｂ、３０ｃ）を収容部（３２）に着脱自在に備える。
【００２０】
（１１）下部アタッチメント（３０）は、電子機器（Ｄ）の収容面に複数の孔（３６）を有し、電子機器（Ｄ）の形状に応じて電子機器（Ｄ）を位置決めする位置決め部材（３７）を複数の孔（３６）に着脱自在に備える。
【００２１】
（１２）下部アタッチメント（３０）は、電子機器（Ｄ）の収容面に、電子機器（Ｄ）の形状に応じて電子機器（Ｄ）を位置決めする位置決め部材（３８）を摺動自在に備える。
【００２２】
（１３）下部アタッチメント（３０）は、電子機器（Ｄ）の形状に応じて電子機器（Ｄ）を位置決めする位置決めシート（３９）を視認可能に保持する。
【発明の効果】
【００２３】
本発明によれば、保護フィルムセットのベースフィルムが上部アタッチメントの仮止め面に仮止めされると、押圧部が剥離した保護フィルムを電子機器の貼り付け面に押圧するように位置決めされるので、特殊な構造部材を有する保護フィルムセットを用いることなく、容易にかつ確実に保護フィルムを貼り付けることができる。
【図面の簡単な説明】
【００２４】
【図１】本発明の実施形態１に係るフィルム貼付装置の全体構成を説明する模式斜視図。
【図２】実施形態１に係るフィルム貼付装置の上部アタッチメントの平面図（Ａ）、側面図（Ｂ）、底面図（Ｃ）、背面図（Ｄ）。
【図３】実施形態１に係るフィルム貼付装置の下部アタッチメントの平面図（Ａ）、側面図（Ｂ）、正面図（Ｃ）、電子機器を収納した下部アタッチメントの平面図（Ｄ）、側面図（Ｅ）、正面図（Ｆ）。
【図４】実施形態１に係るフィルム貼付装置に用いる保護フィルムセットの平面図（Ａ）、断面図（Ｂ）、仮止め時の模式斜視図（Ｃ）。
【図５】実施形態１に係るフィルム貼付装置の上部アタッチメントに保護フィルムセットを仮止めした場合の模式斜視図と部分拡大断面図。
【図６】実施形態１に係るフィルム貼付装置における貼り付け開始位置における模式斜視図（Ａ）と中央断面図（Ｂ）。
【図７】実施形態１に係るフィルム貼付装置におけるベースフィルムの係止解除後における模式斜視図（Ａ）と中央断面図（Ｂ）。
【図８】実施形態１に係るフィルム貼付装置における貼り付け終了時における模式斜視図（Ａ）と中央断面図（Ｂ）。
【図９】実施形態２に係るフィルム貼付装置における電子機器収納時における模式斜視図（Ａ）、貼り付け開始時における模式斜視図（Ｂ）、貼り付け終了時における模式斜視図（Ｃ）。
【図１０】実施形態３に係るフィルム貼付装置における電子機器収納時における模式斜視図（Ａ）、貼り付け開始時における模式斜視図（Ｂ）、貼り付け終了時における模式斜視図（Ｃ）。
【図１１】実施形態４に係る変形例１における保護フィルムセットの平面図（Ａ）、仮止め時の模式斜視図（Ｂ）。
【図１２】実施形態４に係る変形例２における保護フィルムセットの平面図（Ａ）、仮止め時の模式斜視図（Ｂ）。
【図１３】実施形態４に係る変形例３における保護フィルムセットの平面図（Ａ）、仮止め時の模式斜視図（Ｂ）。
【図１４】実施形態４に係る変形例４における保護フィルムセットの平面図（Ａ）、仮止め時の模式斜視図（Ｂ）。
【図１５】実施形態５に係る押圧部の変形例における上部アタッチメントの模式斜視図。
【図１６】実施形態６に係る下部アタッチメントとアダプター部の模式斜視図。
【図１７】実施形態７に係る変形例１における下部アタッチメントの模式斜視図。
【図１８】実施形態７に係る変形例２における下部アタッチメントの模式斜視図。
【図１９】実施形態７に係る変形例３における下部アタッチメントの模式斜視図。
【図２０】実施形態７に係る変形例４における下部アタッチメントの模式斜視図。
【発明を実施するための形態】
【００２５】
次に本発明を実施するための好適な実施形態を、図面を参照しながら説明する。以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２６】
（実施形態１：フィルム貼付装置）
（１−１  構成）
図１に、本発明の実施形態１に係るフィルム貼付装置の全体構成を説明する模式斜視図を示す。
【００２７】
図１に示すように、本実施形態１に係るフィルム貼付装置１００は、ベースフィルム１１および保護フィルム１２を有する保護フィルムセット１０、保護フィルムセット１０を仮置きする上部アタッチメント２０、および保護フィルム１２を貼り付ける電子機器Ｄを収納する下部アタッチメント３０を備える。
【００２８】
図２に、実施形態１に係るフィルム貼付装置１００の上部アタッチメント２０の詳細な構造を示す。図２（Ａ）が平面図、（Ｂ）が側面図、（Ｃ）が底面図、（Ｄ）が背面図である。図２および図１に示すように、上部アタッチメント２０は、保護フィルムセット１０を仮置きする仮置き部２２と、剥離した保護フィルム１２を押圧する押圧部２１と、仮置き部２２および押圧部２１を挟み込んで保持する側壁２３Ｒおよび２３Ｌ（正面から見て右側の部材を「Ｒ」、左側の部材を「Ｌ」と称する）を備える。押圧部２１を除いて、上部アタッチメント２０の構成材料に限定はなく、コストや強度、製造容易性を考慮して適当な材料、例えば樹脂や木材により構成することが可能である。
【００２９】
仮置き部２２は、三角柱類似の構造を有し、載置面Ａと仮止め面Ｂとを備える。載置面Ａは、保護フィルムセット１０が載置される傾斜した平面である。仮止め面Ｂは、載置面Ａに載置された保護フィルムセット１０の先端部を屈曲させることにより保護フィルム１２から剥離したベースフィルム１１の先端部を仮止めする若干傾斜した裏面である。
【００３０】
上部アタッチメント２０の仮止め面Ｂには、ベースフィルム１１の先端部に係止する仮止め構造２６が設けられている。仮止め構造２６は、ベースフィルム１１の先端部を仮止め可能な構造であればその構造に限定はない。例えば、ベースフィルム１１に仮止めを補助する仮止め形状に引っかかることにより、貼り付け開始前にベースフィルム１１の先端を屈曲させた状態で一時的に保持可能な構造とする。例えば、図１に示すように、ベースフィルム１１に設けられた仮止め形状１３が孔構造である場合に、仮止め構造２６は当該仮止め形状１３に挿入される釘の頭のような構造とする。
上部アタッチメント２０の仮置き部２２の載置面Ａと仮止め面Ｂとは、載置面Ａに保護フィルムセット１０を載置してベースフィルム１１の先端部を屈曲させて仮止め面Ｂの仮止め構造２６に仮止めさせた場合に、ベースフィルム１１から剥離した保護フィルム１２の先端部が押圧部２１により押圧可能な位置に保持されるような角度θに設定されている（詳しくは図５にて後述する）。載置面Ａと仮止め面Ｂとのなす角度θは、ベースフィルム１１を仮止めした場合に、ベースフィルム１１がその弾性により屈曲する結果、ベースフィルム１１に軽い密着力で接着されている保護フィルム１２の先端部が剥離する程度の角度に設定され、例えば、９０度より小さい角度とする。載置面Ａと仮止め面Ｂとで形成される頂辺２２１は、保護フィルム１２の先端部がベースフィルム１１から剥離可能な程度の大きさの曲率を有するように、なまして（角取りして）形成されている。
【００３１】
押圧部２１は、ベースフィルム１１から剥離した保護フィルム１２の一部を押圧可能に構成されている。特に本実施形態１では、押圧部２１は筒型形状を有し、軸芯に設けられた回転軸２１１が側壁２３Ｒ・２３Ｌの内側に設けられた回転穴に回転可能に係止し、押圧部２１全体が保護フィルム１２の繰り出しに合わせて回転するように構成されている。押圧部２１を回転可能に構成することにより、保護フィルム１２の繰り出し時の摩擦抵抗が無くなり、上部アタッチメント２０を下部アタッチメント３０に対して相対的に動かす際に要する力を些少に押さえることができ、保護フィルムの貼り付け作業を容易にすることができる。
【００３２】
押圧部２１は、図２（Ｂ）に示すように、仮置き部２２の載置面Ａと仮止め面Ｂとがなす頂辺２２１よりも、所定量Δｈだけ下側にせり出すように位置決めされている。このように配置することにより、貼り付け時に上部アタッチメント２０を下部アタッチメント３０に組み合わせた際に、押圧部２１のみが電子機器Ｄの貼り付け面Ｐに当接するようになっている。押圧部２１の表面は、保護フィルムの貼り付け時、電子機器Ｄの貼り付け面Ｐに適当な応力で押しつけられるため、貼り付け面Ｐを傷つけないような弾性材料で構成することが好ましい。例えば、ラバーやスポンジなどの柔軟性があり、貼り付け時に保護フィルムに均等な圧力を加えることが可能な材料で構成する。
【００３３】
側壁２３Ｒおよび２３Ｌは、脚部２５Ｒおよび２５Ｌを備える。脚部２５Ｒおよび２５Ｌには、内側に係止部材２４Ｒおよび２４Ｌが設けられており、後述する下部アタッチメント３０のガイド部材３３に摺動可能に係止するようになっている。
【００３４】
図３に、実施形態１に係るフィルム貼付装置１００の下部アタッチメント３０の構造を示す。図３（Ａ）が平面図、（Ｂ）が側面図、（Ｃ）が正面図である。また図３（Ｄ）が電子機器Ｄを収納した下部アタッチメントの平面図、（Ｅ）が側面図、（Ｆ）が正面図である。図３に示すように、下部アタッチメント３０は、本体の上面３４に電子機器Ｄを収容するための凹部である収容部３２が設けられている。また下部アタッチメント３０の側壁には、保護フィルムの貼り付け時に上部アタッチメント２０を誘導するガイド部材３３が設けられている。本実施形態１では、ガイド部材３３は溝形状をしており、貼り付け開始時に上部アタッチメント２０の係止部材２４Ｒおよび２４Ｌが入口３３ｉから挿入され、ガイド部材３３に沿って摺動していくことで上部アタッチメント２０の移動軌跡を画定し、貼り付け終了時に出口３３ｏから係止部材２４Ｒおよび２４Ｌが抜けることにより、上部アタッチメント２０との係止を解除するようになっている。
【００３５】
下部アタッチメント３０の収容部３２の形状は、図３（Ｄ）〜（Ｆ）に示されるように、収納する電子機器Ｄの外形形状とほぼ一致しており、収納する電子機器Ｄをぶれなく保持することが可能になっている。ただし、異なる種類の電子機器に対応可能とするには、実施形態６や実施形態７で後述するようにアダプター部を使用する。
【００３６】
図４に、実施形態１に係る保護フィルムセット１０の構造を示す。図４（Ａ）が平面図であり、（Ｂ）が図４（Ａ）の４Ｂ−４Ｂ切断面で切断した断面図、（Ｃ）が仮止め時の模式斜視図である。図４に示すように、保護フィルムセット１０は、ベースフィルム１１と保護フィルム１２とで構成されている。保護フィルム１２は、電子機器Ｄの貼り付け面Ｐを保護するためのフィルムである。保護フィルム１２は、貼付対象となる電子機器Ｄの表示面となる貼り付け面Ｐに適合した形状およびサイズを有しており、貼り付け面Ｐを傷等から保護する物理的強度を有し、視認性を妨げないような光透過性を有する。また選択的に特殊な光学的特性を共有させてもよい。例えば、光の反射を抑制する反射防止機能や、横方向から表示内容を読み取られないように光の射出方向を制限する偏光機能を持たせてもよい。保護フィルム１２の裏面には、電子機器Ｄの貼り付け面Ｐに密着するための接着層が形成されている。ベースフィルム１１は、貼付前の保護フィルム１２を保存するための基材であり、保護フィルム１２の裏面に形成された接着層を密封し、接着力を減衰させることなく保護するフィルムである。
【００３７】
図４および図１に示すように、ベースフィルム１１の先端部には、上記仮置き部２２の仮止め面Ｂに設けられた仮止め構造２６への仮止めを補助する仮止め形状１３が形成されている。図４（Ｃ）に示すように、仮止め形状１３の穴構造には、仮置き部２２の仮止め構造２６が挿入されることで、貼り付け開始時にベースフィルム１１の先端部を屈曲した状態で一時的に保持することが可能になっている。
【００３８】
（１−２  作用）
次に図５〜図８を参照しながら、本実施形態１に係るフィルム貼付装置１００を使用した保護フィルムの貼付工程を説明する。図５は上部アタッチメント２０に保護フィルムセット１０を仮止めした時、図６は貼り付け開始時、図７はベースフィルム１１の係止解除時、図８は貼り付け終了時をそれぞれ示し、（Ａ）が模式斜視図であり、（Ｂ）が中央断面図である。
【００３９】
（ＳＴ１：仮止め時）
保護フィルムの貼り付け時、まず下部アタッチメント３０に装着しない状態で、図１および図５に示すように、保護フィルムセット１０を、その先端部が下側になるようにして、上部アタッチメント２０の仮置き部２２の載置面Ａから差し入れる。そして図５の拡大断面図に示すように、載置面Ａと押圧部２１との間のギャップＧから保護フィルムセット１０の先端部を出し、ベースフィルム１１の先端部を屈曲させて、仮止め面Ｂの仮止め構造２６にベースフィルム１１の先端部が仮止めされるように、仮止め形状１３を仮止め構造２６に係止させる。このとき、載置面Ａと仮止め面Ｂとがなす頂辺２２１に沿ってベースフィルム１１が強く曲げられるため、比較的小さな接着力でベースフィルム１１に接着している保護フィルム１２の裏面に剥離力が作用し、保護フィルム１２の先端部がベースフィルム１１から剥離する。剥離した保護フィルム１２の先端部は、図５の拡大断面図に示すように、押圧部２１の下側に突出したようになる。
【００４０】
（ＳＴ２：貼り付け開始時）
次いで図６に示すように、保護フィルムセット１０を仮止めした上部アタッチメント２０を下部アタッチメント３０に取り付ける。具体的には、上部アタッチメント２０の脚部２５Ｒおよび２５Ｌに設けられている係止部材２４Ｒおよび２４Ｌが下部アタッチメント３０のガイド部材３３の入口３３ｉから挿入されるように、上部アタッチメント２０と下部アタッチメント３０とを組み合わせる。このように組み合わせることにより、図６（Ｂ）の断面図に示すように、保護フィルム１２の先端部が押圧部２１により電子機器Ｄの貼り付け面Ｐの貼り付け開始位置で押圧される。押圧部２１の表面は弾性材料で構成されているので、押圧部２１と貼り付け面Ｐとの接触線上では、保護フィルム１２の接着層が貼り付け面Ｐに均等に押圧され、保護フィルム１２が貼り付け面Ｐに密着する。
【００４１】
（ＳＴ３：仮止め解除時）
次いで図７に示すように、上部アタッチメント２０を矢印の方向に移動させると、上部アタッチメントの係止部材２４Ｒおよび２４Ｌが下部アタッチメント３０のガイド部材３３に沿って摺動し、上部アタッチメント２０が下部アタッチメント３０に対して相対的に移動する。上部アタッチメント２０が下部アタッチメント３０に対して相対的に移動すると、押圧部２１が保護フィルム１２の押圧する位置を移動させるに連れて保護フィルム１２とベースフィルム１１との剥離が進行し、保護フィルム１２の電子機器Ｄの貼り付け面Ｐへの貼り付け面積が徐々に大きくなっていく。このとき、図７（Ｂ）に示すように、剥離したベースフィルム１１が押し出されて、ベースフィルム１１の先端部の仮止め面Ｂへの仮止めが解除される。すなわち、貼り付け開始時には、仮止め面Ｂの仮止め構造２６は、ベースフィルム１１の先端部を屈曲させることができる程度に仮止めすることができているが、貼り付け作業が進行するに従って、剥離されたベースフィルム１１が横方向から仮止め構造２６を押すようになる。ベースフィルム１１の剥離部分が多くなると、ベースフィルム１１自体の弾性により仮止め面Ｂと垂直な方向に応力が加わり、ベースフィルム１１の仮止め形状１３の穴構造から仮止め構造２６が抜けて、仮止めしていた係止力が解除される。一旦、仮止めが解除されると、剥離したベースフィルム１１は、電子機器Ｄの貼り付け面Ｐに沿って滑るように抵抗なく誘導される。
【００４２】
（ＳＴ４：貼り付け終了時）
そして図８に示すように、上部アタッチメント２０の係止部材２４Ｒおよび２４Ｌがガイド部材３３の終端部にやってくると、保護フィルム１２はベースフィルム１１から総て剥離され、電子機器Ｄの貼り付け面Ｐに接着する。剥離したベースフィルム１１は、上部アタッチメント２０の背面から排出される。最後に、係止部材２４Ｒおよび２４Ｌをガイド部材３３の出口３３ｏから引き抜いて、上部アタッチメント２０を下部アタッチメント３０から離脱する。以上により、電子機器Ｄの貼り付け面Ｐに保護フィルム１２が気泡や埃を含むことなく密着して貼り付けられる。
【００４３】
（１−３  効果）
（１）本実施形態１に係るフィルム貼付装置１００によれば、保護フィルムセット１０のベースフィルム１１が上部アタッチメント２０の仮止め面Ｂに仮止めされると、押圧部２１が剥離した保護フィルム１２を電子機器Ｄの貼り付け面Ｐに押圧するように位置決めされるので、特殊な構造部材を有する保護フィルムセットを用いることなく、容易にかつ確実に保護フィルムを貼り付けることができる。
【００４４】
（２）本実施形態１に係るフィルム貼付装置１００によれば、上部アタッチメント２０の仮止め面Ｂにベースフィルム１１の先端部に係止する仮止め構造２６を備えるので、貼り付け開始時において、ベースフィルム１１の先端部を屈曲させて保護フィルム１２の先端部を適量剥離させることができる。
【００４５】
（３）本実施形態１に係るフィルム貼付装置１００によれば、上部アタッチメント２０の載置面Ａと仮止め面Ｂとは、載置面Ａに保護フィルムセット１０を載置してベースフィルム１１の先端部を屈曲させて仮止め面Ｂに仮止めさせた場合に、ベースフィルム１１から剥離した保護フィルム１２の先端部が押圧部２１により押圧可能な位置に保持されるような角度θに設定されているので、下部アタッチメント３０に組み合わせることによって保護フィルム１２の貼り付け開始状態とすることができる。
【００４６】
（４）本実施形態１に係るフィルム貼付装置１００によれば、保護フィルム１２の貼り付け開始時において、電子機器Ｄの貼り付け開始位置に相当する位置で押圧部２１が保護フィルム１２の先端部を押圧可能に構成されているので、貼り付け開始位置を正確に定めることができる。
【００４７】
（５）本実施形態１に係るフィルム貼付装置１００によれば、保護フィルム１２の貼り付け開始後に上部アタッチメント２０を下部アタッチメント３０に対して相対的に移動させた場合において、押圧部２１が保護フィルム１２の押圧する位置を移動させるに連れて保護フィルム１２とベースフィルム１１との剥離が進行するように構成されているので、特殊な構造部材を用いることなく保護フィルムとベースフィルムとの剥離を行うことができる。
【００４８】
（６）本実施形態１に係るフィルム貼付装置１００によれば、保護フィルム１２とベースフィルム１１との剥離が進行し、剥離したベースフィルム１１が押し出される場合に、ベースフィルム１１の先端部の仮止め面Ｂへの仮止めが解除されるように構成されているので、特殊な構造部材を用いることなく、ベースフィルムの係止を解除し剥離することができる。
【００４９】
（７）本実施形態１に係るフィルム貼付装置１００によれば、上部アタッチメント２０の係止部材２４Ｒおよび２４Ｌが下部アタッチメント３０のガイド部材３３を摺動するよう構成されているので、上部アタッチメント２０と下部アタッチメント３０との相対位置や画定しながら貼り付け作業を完了させることができる。よって、保護フィルムの貼付を失敗することを防止することができる。
【００５０】
（８）本実施形態１に係るフィルム貼付装置１００によれば、押圧部２１は、回転可能に構成されているので、貼り付け作業に必要な力を少なくし、スムースな貼り付け作業を可能とする。
【００５１】
（実施形態２：フィルム貼付装置の変形例１）
本実施形態２は、フィルム貼付装置の変形例に係る。
（２−１  構成）
図９に、本実施形態２に係るフィルム貼付装置の構造を示す。図９（Ａ）は電子機器収納時における模式斜視図であり、（Ｂ）は貼り付け開始時における模式斜視図、（Ｃ）は貼り付け終了時における模式斜視図である。図９では理解を容易にするため、保護フィルムセット１０の図示を省略してある。
【００５２】
図９に示すように、本実施形態２に係るフィルム貼付装置１００ｂは、上部アタッチメント２０ｂと下部アタッチメント３０ｂとを備える。
【００５３】
上記実施形態１では、上部アタッチメント２０の脚部２５Ｒおよび２５Ｌに設けられた係止部材２４Ｒおよび２４Ｌが下部アタッチメント３０のガイド部材３３に摺動可能に係止するように構成されていたが、本実施形態２では、上部アタッチメント２０ｂの脚部２５ｂが下部アタッチメント３０ｂのガイド部材３３ｂに回動可能にかつ摺動可能に係止する点で、実施形態１と異なっている。その他の構造については、上記実施形態１と同様であるため、説明を省略する。
【００５４】
図９に示すように、ガイド部材３３ｂは棒状部材であり、脚部２５ｂに設けられた孔に挿入され、ガイド部材３３ｂに沿って脚部２５ｂが摺動可能になっている。また脚部２５ｂはガイド部材３３ｂに係止された状態で回転軸を中心に回動可能となっている。このため、上部アタッチメント２０ｂは下部アタッチメント３０ｂと分離不可能になっているが、脚部２５ｂに設けられた回転軸を中心に一方向に回動させることにより下部アタッチメント３０ｂの収容部３２を解放したり、逆方向に回動させることにより下部アタッチメント３０ｂの収容部３２を覆うように閉鎖して貼り付け作業を実行させたりすることが可能に構成されている。
【００５５】
（２−２  作用）
まず図９（Ａ）に示すように、上部アタッチメント２０ｂを下部アタッチメント３０ｂから回動させて収容部３２を解放させる。そして、電子機器Ｄを収容部３２に収納する。また上記実施形態１のステップＳＴ１と同様に、図示しない保護フィルムセット１０を仮置き部２２の載置面Ａから差し入れて、ベースフィルム１１の先端部を仮止め面Ｂに仮止めする。そして図９（Ａ）の矢印方向に上部アタッチメント２０ｂを回動させると、上記実施形態１のステップＳＴ２で説明した貼り付け開始位置に保護フィルム１２が配置される。
【００５６】
次いで図９（Ｂ）に示すように、上部アタッチメント２０ｂの脚部２５ｂを下部アタッチメント３０ｂのガイド部材３３ｂに対して摺動させると、上部アタッチメント２０ｂが下部アタッチメント３０ｂに対して相対的に移動する。このとき、上記実施形態１のステップＳＴ３と同様に、ベースフィルム１１と保護フィルム１２との剥離が進行するとともに、ベースフィルム１１の仮止め面Ｂへの仮止めが解除される。
【００５７】
そして図９（Ｃ）に示すように、上部アタッチメント２０ｂの脚部２５ｂを下部アタッチメント３０ｂのガイド部材３３ｂの終端まで移動させると、保護フィルム１２の電子機器Ｄの貼り付け面Ｐへの貼り付け作業が完了する。次いで上部アタッチメント２０ｂを図９（Ａ）の貼り付け開始位置まで戻してから回動させ、下部アタッチメント３０ｂの収容部３２から保護フィルム１２が貼り付けられた電子機器Ｄを取り出す。
【００５８】
（２−３  効果）
上記実施形態２に係るフィルム貼付装置１００ｂによれば、上記実施形態１と同様の作用効果を奏する他に、上部アタッチメント２０ｂと下部アタッチメント３０ｂとが分離しない構造となっているので、携帯に便利であり、また、アタッチメントの紛失を防止することができる。
【００５９】
（実施形態３：フィルム貼付装置の変形例２）
本実施形態３は、フィルム貼付装置の別の変形例に係る。
（３−１  構成）
図１０に、本実施形態３に係るフィルム貼付装置の構造を示す。図１０（Ａ）は電子機器収納時における模式斜視図であり、（Ｂ）は貼り付け開始時における模式斜視図、（Ｃ）は貼り付け終了時における模式斜視図である。図１０では理解を容易にするため、保護フィルムセット１０の図示を省略してある。
【００６０】
図１０に示すように、本実施形態３に係るフィルム貼付装置１００ｃは、上部アタッチメント２０ｃと下部アタッチメント３０ｃとを備える。
【００６１】
上記実施形態１では、上部アタッチメント２０の脚部２５Ｒおよび２５Ｌに設けられた係止部材２４Ｒおよび２４Ｌが下部アタッチメント３０のガイド部材３３に摺動可能に係止するように構成されていたが、本実施形態３では、上部アタッチメント２０ｃに設けられたガイド部材２４ｃが下部アタッチメント３０ｃに設けられたガイド部材３３ｃと嵌合して貼り付け開始位置を画定可能に構成されている点、および、上部アタッチメント２０ｃの脚部２５ｃが下部アタッチメント３０ｃの側壁に摺動可能な構造となっている点で、実施形態１と異なっている。その他の構造については、上記実施形態１と同様であるため、説明を省略する。
【００６２】
図１０に示すように、下部アタッチメントｃのガイド部材３３ｃは角柱部材であり、上部アタッチメント２０ｃのガイド部材２４ｃと嵌め合わせることが可能に構成されている。また上部アタッチメント２０ｃの側壁２３Ｒおよび２３Ｌには、下部アタッチメント３０ｃの側壁と摺動可能に組み合わせられる脚部２５ｃが形成されている。
【００６３】
（３−２  作用）
まず図１０（Ａ）に示すように、上部アタッチメント２０ｃにおいて、上記実施形態１のステップＳＴ１と同様に、図示しない保護フィルムセット１０を仮置き部２２の載置面Ａから差し入れて、ベースフィルム１１の先端部を仮止め面Ｂに仮止めする。また下部アタッチメント３０ｃにおいて、電子機器Ｄを収容部３２に収納する。そして上部アタッチメント２０ｃのガイド部材２４ｃと下部アタッチメント３０ｃのガイド部材３３ｃとを嵌合させながら矢印の方向に移動させ、上記実施形態１のステップＳＴ２で説明した貼り付け開始位置に配置させる。
【００６４】
次いで図１０（Ｂ）に示すように、上部アタッチメント２０ｃの脚部２５ｃを下部アタッチメント３０ｃの側壁に沿って摺動させ、上部アタッチメント２０ｃを下部アタッチメント３０ｃに対して相対的に移動させる。このとき、上記実施形態１のステップＳＴ３と同様に、ベースフィルム１１と保護フィルム１２との剥離が進行するとともに、ベースフィルム１１の仮止め面Ｂへの仮止めが解除される。
【００６５】
そして図１０（Ｃ）に示すように、上部アタッチメント２０ｃの脚部２５ｃを下部アタッチメント３０ｃの側壁の端部まで移動させると、保護フィルム１２の電子機器Ｄの貼り付け面Ｐへの貼り付け作業が完了する。そのまま上部アタッチメント２０ｃを引き抜いて、下部アタッチメント３０ｃの収容部３２から保護フィルム１２が貼り付けられた電子機器Ｄを取り出す。
【００６６】
（３−３  効果）
上記実施形態３に係るフィルム貼付装置１００ｃによれば、上記実施形態１と同様の作用効果を奏する他に、比較的簡単なガイド構造となっているので、壊れにくいという特徴を有する。
【００６７】
（実施形態４：ベースフィルムの仮止め構造の変形例）
本実施形態４は、ベースフィルムの仮止め構造の変形例に関する。
（４−１  変形例１）
図１１に、保護フィルムセットの第１の変形例を示す。図１１（Ａ）は平面図であり、（Ｂ）は仮止め時の模式斜視図である。図１１（Ａ）に示すように、第１の変形例に係る保護フィルムセット１０ｂは、横方向に突出した孔構造の仮止め形状１３ｂを備えている。図１１（Ｂ）に示すように、上部アタッチメント２０の仮止め面Ｂには、上記仮止め形状１３ｂに対応した位置に仮止め構造２６ｂが設けられている。このように、仮止め構造２６ｂにより、ベースフィルム１１の横方向でベースフィルム１１の先端部を係止させる構造を採用することが可能である。
（４−２  変形例２）
図１２に、保護フィルムセットの第２の変形例を示す。図１２（Ａ）は平面図であり、（Ｂ）は仮止め時の模式斜視図である。図１２（Ａ）に示すように、第２の変形例に係る保護フィルムセット１０ｃは、ベースフィルム１１に切り欠き構造の仮止め形状１３ｃを備えている。図１２（Ｂ）に示すように、上部アタッチメント２０の仮止め面Ｂには、上記仮止め形状１３ｃの切り欠き構造に嵌合可能な仮止め構造２６ｃが設けられている。このように、仮止め構造２６ｃにより、ベースフィルム１１の切り欠き構造でベースフィルム１１の先端部を係止させる構造を採用することが可能である。
（４−３  変形例３）
図１３に、保護フィルムセットの第３の変形例を示す。図１３（Ａ）は平面図であり、（Ｂ）は仮止め時の模式斜視図である。図１３（Ａ）に示すように、第３の変形例に係る保護フィルムセット１０ｄは、ベースフィルム１１に突起構造の仮止め形状１３ｄを備えている。図１３（Ｂ）に示すように、上部アタッチメント２０の仮止め面Ｂには、上記仮止め形状１３ｄの突起構造を嵌合可能な仮止め構造２６ｄが設けられている。このように、仮止め構造２６ｄにより、ベースフィルム１１の突起構造でベースフィルム１１の先端部を係止させる構造を採用することが可能である。
（４−４  変形例４）
図１４に、保護フィルムセットの第４の変形例を示す。図１４（Ａ）は平面図であり、（Ｂ）は仮止め時の模式斜視図である。図１４（Ａ）に示すように、第４の変形例に係る保護フィルムセット１０ｅは、ベースフィルム１１の先端の中央部に位置出し用の切れ込み構造１３ｅを備えている。図１４（Ｂ）に示されるように、上部アタッチメント２０の仮止め面Ｂには、仮止め構造２６ｅが設けられている。仮止め構造２６ｅは、センターの位置出しをする突起部２６１と引っ掛け部２６２とが設けられている。仮止め時、ベースフィルム１１の先端部の切れ込み構造１３ｅを仮止め構造２６ｅの突起部２６１に合わせるように当接させる。ベースフィルム１１の先端部の切れ込み構造１３ｅが仮止め構造２６ｅの突起部２６１に係合することよりセンターの位置出しがされる。また、引っ掛け部２６２によりベースフィルム１１の先端部が仮止めされる。このような構造によれば、保護フィルムの貼り付け時に、ベースフィルム１１の剥離量が多くなると、ベースフィルム１１の弾性に伴う応力により引っ掛け部２６２の仮止めが解除されるようになる。このように、仮止め構造２６ｅにより、ベースフィルム１１の切り欠き構造でベースフィルム１１の先端部を係止させる構造を採用することが可能である。
【００６８】
（４−５  その他）
上記変形例４のように、仮止め面Ｂに設ける仮止め構造がベースフィルム１１の先端部を引っ掛けるような、または、軽く挟み込むような機能を有していれば、ベースフィルム１１には必ずしも仮止め形状を設ける必要はない。よって、ベースフィルム１１に仮止め形状を備えない保護フィルムセットを用いても仮止めさせたり仮止めを解除させたりすることができる。よって、仮止め形状を有しない市販の保護フィルムを用いるように構成することができる。
【００６９】
（実施形態５：押圧部の変形例）
本実施形態５は、上部アタッチメントの押圧部の変形例に関する。図１５に、上部アタッチメント２０の押圧部の変形例を示す。
【００７０】
上記実施形態１では、回転軸２１１を中心に回転可能に押圧部２１を構成したが、これに限定されるものではない。例えば、図１５（Ａ）に示すように、実施形態１と同様の円柱形状であるが回動しない固定された押圧部２１ｂを適用することが可能である。また、電子機器Ｄへの貼り付け面Ｐへの当接部は所定の曲率の曲面を有し、その余の部分は異なる形状を有する図１５（Ｂ）に示すような押圧部２１ｃや、図１５（Ｃ）に示すような押圧部２１ｄを採用することも可能である。
【００７１】
（実施形態６：下部アタッチメントのアダプター部）
本実施形態６は、下部アタッチメントの収容部の変形例に関する。図１６に、下部アタッチメント３０の収容部３２の変形例を示す。
【００７２】
上記実施形態１では、下部アタッチメント３０の収容部３２は、電子機器Ｄの形状に適合した形状に形成されていたが、本実施形態のアダプター部を採用することにより、異なる種類の電子機器Ｄに適合させることが可能である。例えば、図１６に示すように、下部アタッチメント３０ｂは、適合対象とするいずれの種類の電子機器Ｄに対しても十分な大きさに収容部３２を有する。この収容部３２に収容可能な大きさのアダプター部を電子機器の形状に合わせて準備する。例えば、アダプター部３１ｂは、ある種類の電子機器Ｄ２の形状に適合した収容部３２ｂを有し、下部アタッチメント３０ｂの収容部３２に適合する外形形状を有する。またアダプター部３１ｃは、他の種類の電子機器Ｄ３の形状に適合した収容部３２ｃを有し、下部アタッチメント３０の収容部３２に適合する外形形状を有する。
【００７３】
そして、電子機器Ｄ２に保護フィルムを貼り付けたい場合には、アダプター部３１ｂを下部アタッチメント３０ｂの収容部３２に取付け、電子機器Ｄ２を収容部３２ｂに挿入する。電子機器Ｄ３に保護フィルムを貼り付けたい場合には、アダプター部３１ｃを下部アタッチメント３０の収容部３２に取付け、電子機器Ｄ３を収容部３２ｃに挿入する。
【００７４】
本実施形態６によれば、アダプター部３０を収容部３２に収容可能に下部アタッチメント３０ｂを構成したので、異なる種類の電子機器を同一のフィルム貼付装置に収容して保護フィルムを貼り付けることが可能である。
【００７５】
（実施形態７：下部アタッチメントの変形例）
本実施形態７は、下部アタッチメントの他の変形例に関する。
（７−１  変形例１）
図１７に下部アタッチメントの第１の変形例に係る模式斜視図を示す。図１７（Ａ）に示すように、第１の変形例に係る下部アタッチメント３０ｃは、上面に複数の孔構造３６と、位置決め部材３７Ｒ、３７Ｌ、および３７Ｃとを備えている。図１７（Ｂ）に示すように、位置決め部材３７Ｒ、３７Ｌ、および３７Ｃには、突起３７１が設けられており、孔構造３６に嵌合させることにより、いずれの位置決め部材３７についても、下部アタッチメント３０ｃの任意の位置に着脱自在に配置することが可能になっている。
【００７６】
（７−２  変形例２）
図１８に下部アタッチメントの第２の変形例に係る模式斜視図を示す。図１８（Ａ）に示すように、第２の変形例に係る下部アタッチメント３０ｃは、上面に複数の孔構造３６と、複数の棒状部材３７Ｐとを備えている。棒状部材３７Ｐは、いずれの孔構造３６にも嵌合可能に構成されており、図１８（Ｂ）に示すように、電子機器Ｄの形状に合わせて棒状部材３７Ｐを孔構造３６に嵌合させることにより、下部アタッチメント３０ｃの任意の位置に複数の棒状部材３７Ｐを配置することが可能になっている。
【００７７】
（７−３  変形例３）
図１９に下部アタッチメントの第３の変形例に係る模式斜視図を示す。図１９（Ａ）に示すように、第３の変形例に係る下部アタッチメント３０ｄは、上面に摺動溝３６ｂを備え、位置決め部材３７Ｒ、３７Ｌ、および３７Ｃをそれぞれ摺動可能に保持している。位置決め部材３７Ｒ、３７Ｌ、および３７Ｃは、摺動溝３６ｂに沿って摺動可能になっている。図１９（Ｂ）に示すように、摺動溝３６ｂに沿って適切な位置に位置決め部材３７Ｒ、３７Ｌ、および３７Ｃを摺動させて固定することにより、電子機器Ｄの形状に合わせた収納部を構成することが可能になっている。
【００７８】
（７−４  変形例４）
図２０に下部アタッチメントの第４の変形例に係る模式斜視図を示す。図２０に示すように、下部アタッチメント３０ｅには、筐体にスリットＳを備え、電子機器Ｄの輪郭３８が描かれた位置決めシート３９を挿入可能になっている。下部アタッチメント３０ｅのスリットＳの上面は少なくとも透明な部材で構成されている。このため、位置決めシート３９をスリットＳに納めた状態で、上面から位置決めシート３９を視認することが可能になっている。
【００７９】
例えば、本第４の変形例に係る下部アタッチメントの構造と上記第１〜第３の変形例に係る下部アタッチメントの位置合わせ構造とを組み合わせることにより、任意の形状の電子機器Ｄに対して位置合わせ可能な下部アタッチメントを提供することが可能である。ユーザは保護フィルムを貼り付けたい電子機器の輪郭３８が印刷された位置決めシート３９を選択して下部アタッチメント３０ｅのスリットＳに挿入する。そして、上面から輪郭３８に沿うように、第１、第２の変形例のような位置決め部材３７Ｒ、３７Ｌ、３７Ｃや、第３の変形例のような棒状部材３７Ｐを位置決めすれば、所望の電子機器Ｄを収納可能なフィルム貼付装置を提供することが可能である。
【００８０】
（その他の変形例）
本発明は、上記実施形態に拘泥することなく、本発明の技術的意義から逸脱しない範囲で種々に変形して適用することが可能である。
【００８１】
（１）仮置き部２２については、以下の要件を満たす限り、上記実施形態以外の形態を採用可能である。
（１−１）貼り付け作業中、保護フィルムセット１０を一時的に保持すること。
（１−２）貼り付け開始時に、保護フィルム１２の先端部を剥離させて押圧部２１により押圧可能な位置に保持すること。
（１−３）貼り付け開始後に、貼り付け作業を妨げることのないようにベースフィルム１１と保護フィルム１２との剥離を進行させること。
【００８２】
なお、上記実施形態では、保護フィルム１２とベースフィルム１１との剥離が進行し、剥離したベースフィルム１１が押し出される場合に、ベースフィルム１１の先端部の仮止め面Ｂへの仮止めが解除される態様であったが、必ずしも解除されるように構成する必要はない。例えば、ベースフィルム１１を摺動可能に誘導するガイド形状の仮止め構造２６を仮止め面Ｂに形成することができる。この態様によれば、貼り付け前にベースフィルム１１の先端部をこのガイド形状の仮止め構造２６に差し込んでから貼り付け作業を開始する。すると剥離の進行とともに、剥離したベースフィルム１１を仮止め部２６のガイド形状に摺動させながらガイド形状によって保持し、貼り付け作業完了後もガイド形状に留め置くことができる。従って、当該態様によれば、剥離したベースフィルム１１が上部アタッチメント２０から落ちてしまうことを防止し、ベースフィルム１１の廃棄が簡単になる。
【００８３】
（２）押圧部２１については、以下の要件を満たす限り、上記実施形態以外の形態を採用可能である。
（２−１）貼り付け作業中、保護フィルム１２に均一な押圧を加えること。
（２−２）保護フィルム１２を傷つけないこと。
【００８４】
（３）上部アタッチメント２０および下部アタッチメント３０については、以下の要件を満たす限り、上記実施形態以外の形態を採用可能である。
（３−１）貼り付け開始時に、保護フィルム１２の先端部を貼り付け対象となる電子機器Ｄの貼り付け面Ｐの貼り付け開始時に位置させること。
（３−２）貼り付け作業中、上部アタッチメント２０と下部アタッチメント３０とが貼り付け作業の軌道（直線のみならず曲線等も含む）に沿って移動可能であって、軌道以外の方向にぶれないこと。
【産業上の利用可能性】
【００８５】
本発明のフィルム貼付装置は、電子機器に保護フィルムを貼り付ける用途に以外にも適用可能である。例えば貼り付け対象物は、電子機器のみならず、他の機械装置、家具、建材、ガラス等とすることができる。また貼り付けるものは保護フィルムに限らず、他の目的のために準備された薄膜であってもよい。さらに貼り付け面は、平面であることを要せず、例えば、曲面であってもよい。
【符号の説明】
【００８６】
Ａ…載置面、Ｂ…仮止め面、Ｄ、Ｄ２、Ｄ３…電子機器、Ｇ…ギャップ、Ｐ…貼り付け面、Ｓ…スリット、Δｈ…押圧部のずれ量、θ…載置面と仮止め面とのなす角度、１０、１０ｂ、１０ｃ、１０ｄ、１０ｅ…保護フィルムセット、１１…保護フィルム、１１…ベースフィルム、１２…保護フィルム、１３、１３ｂ、１３ｃ、１３ｄ、１３ｅ…仮止め形状、２０、２０ｂ、２０ｃ…上部アタッチメント、２１、２１ｂ、２１ｃ、２１ｄ…押圧部、２２…仮置き部、２３、２３Ｒ、２３Ｌ…側壁、２４、２４Ｒ、２４Ｌ…係止部材、２４ｃ…ガイド部材、２５、２５ｂ、２５ｃ、２５Ｒ、２５Ｌ…脚部、２６、２６ｂ、２６ｃ、２６ｄ、２６ｅ…仮止め構造、３０、３０ｂ、３０ｃ、２０ｄ、３０ｅ…下部アタッチメント、３１ｂ、３１ｃ…アダプター部、３２、３２ｂ、３２ｃ…収容部、３３、３３ｂ、３３ｃ…ガイド部材、３３ｉ…ガイド部材入口、３３ｏ…ガイド部材出口、３６…孔構造、３６ｂ…摺動溝、３７、３７Ｒ、３７Ｌ、３７Ｃ…位置決め部材、３７Ｐ…棒状部材、３９…シート、１００、１００ｂ、１００ｃ…フィルム貼付装置、２１１…回転軸、２６１…突起部、２６２…引っ掛かり部
【図１】
2015011079.tif 000003
【図２】
2015011079.tif 000004
【図３】
2015011079.tif 000005
【図４】
2015011079.tif 000006
【図５】
2015011079.tif 000007
【図６】
2015011079.tif 000008
【図７】
2015011079.tif 000009
【図８】
2015011079.tif 000010
【図９】
2015011079.tif 000011
【図１０】
2015011079.tif 000012
【図１１】
2015011079.tif 000013
【図１２】
2015011079.tif 000014
【図１３】
2015011079.tif 000015
【図１４】
2015011079.tif 000016
【図１５】
2015011079.tif 000017
【図１６】
2015011079.tif 000018
【図１７】
2015011079.tif 000019
【図１８】
2015011079.tif 000020
【図１９】
2015011079.tif 000021
【図２０】
2015011079.tif 000022